(57)【要約】【課題】クリック操作部とポインタ操作部とが、筐体の表面に、より操作しやすい状態に配置された電子機器を得る。【解決手段】電子機器の第一の本体部２は、筐体２ａと、筐体２ａの外面としての傾斜面２ｅに配置されたポインタ操作部８と、筐体２ａの外面としての表面２ｂに配置されたクリック操作部７Ａと、表面２ｂに配置されたクリック操作部７Ｂ，７Ｃと、を備える。クリック操作部７Ａは、ポインタ操作部８よりも筐体２ａの奥行き方向手前側（図２では下側）の端縁２ｆから遠い位置に配置され、クリック操作部７Ｂ，７Ｃは、クリック操作部７Ａよりも端縁２ｆから遠い位置に配置される。【選択図】図２
2011138198.tif 000002
【特許請求の範囲】
【請求項１】
筐体と、
前記筐体の外面上に露出する状態で配置されたキーボードと、
前記キーボードに対して奥行き方向の手前側で前記筐体の外面上に露出する状態で配置され、画面上のポインタに対する移動操作を受け付けるポインタ操作部、前記ポインタの位置に対するクリック操作を受け付ける第一のクリック操作部、および前記ポインタの位置に対するクリック操作を受け付ける一つまたは複数の第二のクリック操作部を含む操作部と、
を備え、
前記ポインタ操作部、前記第一のクリック操作部、および前記第二のクリック操作部のうち、前記ポインタ操作部が前記奥行き方向の最も手前側に配置され、
前記第一のクリック操作部が、前記ポインタ操作部よりも前記奥行き方向の奥側に配置され、
前記第二のクリック操作部が、前記第一のクリック操作部よりも前記奥行き方向の奥側に配置されたことを特徴とする電子機器。
【請求項２】
前記ポインタ操作部の中心と前記第一のクリック操作部の中心との距離が、前記第一のクリック操作部の中心と前記第二のクリック操作部の中心との距離より長いことを特徴とする請求項１に記載の電子機器。
【請求項３】
前記第二のクリック操作部が、前記ポインタ操作部および前記第一のクリック操作部の配列からずれた位置に配置されたことを特徴とする請求項１または２に記載の電子機器。
【請求項４】
複数の前記第二のクリック操作部のうちの一つが前記配列に対して一方側にずれて配置され、複数の前記第二のクリック操作部のうちの別の一つが前記配列に対して他方側にずれて配置されたことを特徴とする請求項３に記載の電子機器。
【請求項５】
一つの前記第一のクリック操作部と二つの前記第二のクリック操作部とがＶ字状に配置されたことを特徴とする請求項４に記載の電子機器。
【請求項６】
前記ポインタ操作部と前記第一および第二のクリック操作部とが、一つの前記外面の上方に露出する状態に設けられたことを特徴とする請求項１〜５のうちいずれか一つに記載の電子機器。
【請求項７】
前記第一および第二のクリック操作部が、その法線方向が上方を指向する外面に配置され、
前記ポインタ操作部が、その法線方向が前記奥行き方向手前側を指向する外面に配置されたことを特徴とする請求項１〜６のうちいずれか一つに記載の電子機器。
【請求項８】
筐体と、
前記筐体の外面に配置されたポインタ操作部、前記筐体の外面に配置された第一のクリック操作部、および前記筐体の外面に配置されて第一のクリック操作部を挟んで前記ポインタ操作部の反対側に配置された第二のクリック操作部、を含む操作部と、
を備えた
ことを特徴とする電子機器。
【請求項９】
筐体と、
その法線方向が上方を指向する前記筐体の外面に配置された二つのクリック操作部、および前記クリック操作部より前記筐体の奥行き方向手前側の端縁に近い位置でその法線方向が前記奥行き方向手前側を指向する外面に配置されたポインタ操作部、を含む操作部と、
を備えたことを特徴とする電子機器。
【発明の詳細な説明】
【技術分野】
【０００１】
本発明は、電子機器に関する。
【背景技術】
【０００２】
従来、筐体の表面に、手動での入力操作部として、ディスプレイに表示されるポインタの位置を変化させるポインタ操作部と、クリック操作を行う複数のクリック操作部と、を備えた電子機器としてのパーソナルコンピュータが知られている（特許文献１）。
【先行技術文献】
【特許文献】
【０００３】
【特許文献１】特表２００７−５２７０４５号公報
【発明の概要】
【発明が解決しようとする課題】
【０００４】
上記特許文献１をはじめとする従来のこの種の入力操作部を備える電子機器では、ポインタ操作部の両側にクリック操作部が配置されているものが多い。このような配置のポインタ操作部およびクリック操作部が片手で操作される場合、手の親指、人差し指、中指の配置から、ポインタ操作部は、人差し指で操作される場合が多くなる。
【０００５】
しかし、この場合に、クリック操作部も人差し指で操作されると、人差し指をポインタ操作部とクリック操作部との間で移動させることが必要となるため、より迅速な操作が難しくなる。
【０００６】
一方、クリック操作部が親指と中指で操作される場合には、所謂マウスのクリック操作部が一般的に人差し指と中指で操作されるのに対して、操作する指が変わることになる。したがって、マウスを使いなれているユーザにとっては、クリック操作部を親指で操作するのに慣れ難い場合がある。
【０００７】
そこで、本発明は、クリック操作部とポインタ操作部とが、筐体の表面に、より操作しやすい状態に配置された電子機器を得ることを目的とする。
【課題を解決するための手段】
【０００８】
本発明の一実施形態にかかる電子機器にあっては、筐体と、前記筐体の外面上に露出する状態で配置されたキーボードと、前記キーボードに対して奥行き方向の手前側で前記筐体の外面上に露出する状態で配置され、画面上のポインタに対する移動操作を受け付けるポインタ操作部、前記ポインタの位置に対するクリック操作を受け付ける第一のクリック操作部、および前記ポインタの位置に対するクリック操作を受け付ける一つまたは複数の第二のクリック操作部を含む操作部と、を備え、前記ポインタ操作部、前記第一のクリック操作部、および前記第二のクリック操作部のうち、前記ポインタ操作部が前記奥行き方向の最も手前側に配置され、前記第一のクリック操作部が、前記ポインタ操作部よりも前記奥行き方向の奥側に配置され、前記第二のクリック操作部が、前記第一のクリック操作部よりも前記奥行き方向の奥側に配置されたことを特徴とする。
【発明の効果】
【０００９】
本発明によれば、ポインタ操作部を親指で操作し、第一および第二のクリック操作部を人差し指と中指で操作しやすくなる。
【図面の簡単な説明】
【００１０】
【図１】図１は、本発明の第１実施形態にかかる電子機器の斜視図である。
【図２】図２は、電子機器の第一の本体部の平面図である。
【図３】図３は、電子機器の第一の本体部の平面図であって、ユーザが両手（主として右手）で操作している状態を例示的に示す図である。
【図４】図４は、電子機器の第一の本体部の側面図であって、ユーザが右手で操作している状態を例示的に示す図である。
【図５】図５は、電子機器の第一の本体部の平面図であって、ユーザが左手で操作している状態を例示的に示す図である。
【図６】図６は、電子機器内部の回路構成の一部を示す概略図である。
【図７】図７は、本発明の第２実施形態にかかる電子機器の第一の本体部の平面図である。
【図８】図８は、本発明の第３実施形態にかかる電子機器の第一の本体部の平面図である。
【図９】図９は、本発明の第４実施形態にかかる電子機器の第一の本体部の平面図である。
【図１０】図１０は、本発明の第５実施形態にかかる電子機器の第一の本体部の平面図である。
【発明を実施するための形態】
【００１１】
以下、図面を参照して、本発明の実施形態について詳細に説明する。なお、以下の複数の実施形態には、同様の構成要素が含まれている。よって、以下では、それら同様の構成要素には共通の符号を付与するとともに、重複する説明を省略する。また、図６を除く各図では、説明の便宜上、方向を規定している。Ｘ方向およびＹ方向は、第一の本体部の筐体の表面に略沿う方向であり、Ｘ方向はその筐体の幅方向、Ｙ方向は筐体の奥行き方向である。Ｚ方向は、第一の本体部の筐体の表面に垂直な方向（第一の本体部の厚さ方向）である。Ｘ方向、Ｙ方向、およびＺ方向は、互いに直交している。
【００１２】
＜第１実施形態＞
まずは、図１〜６を参照して、本発明の第１実施形態にかかる電子機器１について説明する。
【００１３】
図１に示すように、本実施形態にかかる電子機器１は、所謂ノート型のパーソナルコンピュータとして構成されており、矩形状の扁平な第一の本体部２と、矩形状の扁平な第二の本体部３と、を備えている。これら第一の本体部２および第二の本体部３は、ヒンジ機構４によって、図１に示す展開状態と図示しない折り畳み状態との間で回動軸Ａｘ回りに相対回動可能に接続されている。
【００１４】
第一の本体部２には、筐体２ａの外面としての表面２ｂ側に露出する状態で、入力操作部としてのキーボード５、クリック操作部７Ａ〜７Ｃ、およびポインタ操作部８が設けられている。一方、第二の本体部３には、筐体３ａの外面としての表面３ｂ側に露出する状態で、ＬＣＤ（Liquid Crystal Display）等のディスプレイ６が設けられている。展開状態では、キーボード５、クリック操作部７Ａ〜７Ｃ、ポインタ操作部８、およびディスプレイ６が露出し、ユーザが使用可能な状態となる。一方、折り畳み状態では、表面２ｂ，３ｂ同士が相互に近接した状態で対向して、キーボード５、クリック操作部７Ａ〜７Ｃ、ポインタ操作部８、およびディスプレイ６が、筐体２ａ，３ａによって隠された状態となる。本実施形態では、クリック操作部７Ａ〜７Ｃおよびポインタ操作部８が操作部に相当する。
【００１５】
図２に示すように、キーボード５は、電子機器１のユーザの使用状態における第一の本体部２の幅方向（Ｘ方向）に広く、奥行き方向（Ｙ方向）に狭い、略矩形状（本実施形態では長方形状）の領域を占有している。よって、Ｘ方向は、キーボード５の設置領域の長手方向であり、Ｙ方向は、キーボード５の設置領域の短手方向であると言える。また、Ｘ方向は、表面２ｂに略沿うとともに端縁２ｆに沿う方向であり、Ｙ方向は、表面２ｂに略沿うとともに端縁２ｆと垂直な方向であると言える。
【００１６】
ポインタ操作部８は、ディスプレイ６の画面上に例えば矢印等で表示されるポインタの表示位置を動かす操作を受け付ける入力操作部であって、本実施形態では、トラックボールとして構成されている。また、本実施形態では、図１に示すように、筐体２ａの側壁２ｃの長手方向（Ｘ方向）中央部の上部（すなわち、表面２ｂ側の角部）に、切欠状の凹部２ｄが形成されており、この凹部２ｄの奥側には、図４にも示すように、斜め上方（すなわち、奥行き方向の手前側（ユーザ側）と上方との間となる方向）を法線方向Ｐとする傾斜面２ｅが形成されている。ポインタ操作部８は、この傾斜面２ｅ上に露出した状態で設けられている。なお、図２，４等に示すように、展開状態（使用状態）では、ポインタ操作部８は、表面２ｂの上方側にも露出する。また、ポインタ操作部８は、凹部２ｄ内に収容されているため、折り畳み状態となっても第二の本体部３とは干渉しない。
【００１７】
クリック操作部７Ａ〜７Ｃは、画面上のポインタの位置に対するクリック操作による入力を受け付ける入力操作部であって、本実施形態では、押しボタンとして構成されている。クリック操作部７Ａ〜７Ｃは、図２に示すように、平面視で、ポインタ操作部８とキーボード５との間に配置されている。
【００１８】
クリック操作部７Ａは、ポインタ操作部８に対して奥行き方向（Ｙ方向）の奥側の位置、すなわち、ポインタ操作部８よりも奥行き方向（Ｙ方向）の手前側の端縁２ｆから遠い位置に、配置されている。
【００１９】
また、クリック操作部７Ｂ，７Ｃは、クリック操作部７Ａとキーボード５との間に配置され、クリック操作部７Ａに対して奥行き方向（Ｙ方向）の奥側の位置、すなわち、クリック操作部７Ａよりも奥行き方向（Ｙ方向）の手前側の端縁２ｆから遠い位置に、配置されている。すなわち、本実施形態では、クリック操作部７Ａが第一のクリック操作部に相当し、クリック操作部７Ｂ，７Ｃが第二のクリック操作部に相当する。
【００２０】
ポインタ操作部８およびクリック操作部７Ａは、平面視で、端縁２ｆの中点（長手方向（Ｘ方向）の中間点）Ｍを通り、端縁２ｆと垂直な方向（Ｙ方向）に沿う仮想線分ＶＬに沿って並べられている。すなわち、ポインタ操作部８およびクリック操作部７Ａは、奥行き方向（Ｙ方向）に整列されている。仮想線分ＶＬは、ポインタ操作部８およびクリック操作部７Ａの配列の中心線である。すなわち、図２に示す平面視（表面２ｂの平均的な平面に対する法線方向からのビュー）で、ポインタ操作部８の中心ｃｄおよびクリック操作部７Ａの中心ｃａは、いずれも、仮想線分ＶＬ上に配置されている。
【００２１】
そして、クリック操作部７Ｂ，７Ｃは、平面視で、ポインタ操作部８およびクリック操作部７Ａの配列の中心線としての仮想線分ＶＬについて、線対称に配置されている。すなわち、これらクリック操作部７Ｂ，７Ｃは、幅方向（Ｘ方向）に沿って整列されるとともに、いずれも、クリック操作部７Ａに対して、端縁２ｆに沿う方向（幅方向、Ｘ方向）にずらして配置されている。ただし、クリック操作部７Ｂとクリック操作部７Ｃとで、クリック操作部７Ａに対するずれ方向が相違しており、本実施形態では、相互に逆となっている。クリック操作部７Ｂは、クリック操作部７Ａに対してＸ方向一方側（図２では右側）にずらして配置され、クリック操作部７Ｃは、クリック操作部７Ａに対してＸ方向他方側（図２では左側）にずらして配置されている。
【００２２】
また、本実施形態では、ポインタ操作部８およびクリック操作部７Ａの中心ｃｄ，ｃａ間の距離Ｌ１が、クリック操作部７Ａおよびクリック操作部７Ｂの中心ｃａ，ｃｂ間の距離Ｌ２、ならびに、クリック操作部７Ａおよびクリック操作部７Ｃの中心ｃａ，ｃｃ間の距離Ｌ３よりも、長くなっている（Ｌ１＞Ｌ２、Ｌ１＞Ｌ３）。また、クリック操作部７Ａおよびクリック操作部７Ｂの中心ｃａ，ｃｂ間の距離Ｌ２と、クリック操作部７Ａおよびクリック操作部７Ｃの中心ｃａ，ｃｃ間の距離Ｌ３とは、同じである（Ｌ２＝Ｌ３）。
【００２３】
上述したようなポインタ操作部８ならびにクリック操作部７Ａ，７Ｂの配置により、図３に示すように、ポインタ操作部８を右手ＲＨの親指Ｆ１で操作し、クリック操作部７Ａを右手ＲＨの人差し指Ｆ２で操作し、クリック操作部７Ｂを右手ＲＨの中指Ｆ３で操作することができる。図３を参照すれば、ポインタ操作部８ならびにクリック操作部７Ａ，７Ｂが、右手ＲＨの前腕が幅方向右側かつ奥行き方向手前側から幅方向左側かつ奥行き方向奥側に向けて斜めに伸びる姿勢で、右手ＲＨの親指Ｆ１、人差し指Ｆ２、中指Ｆ３で操作しやすい配置となっていることが容易に理解できよう。
【００２４】
さらに、図４に示すように、本実施形態では、ポインタ操作部８が配置される筐体２ａの外面としての傾斜面２ｅの法線方向Ｐは、奥行き方向手前側と上方との間を指向し、筐体２ａの外面としての表面２ｂの法線方向は、上方（Ｚ方向）を指向している。表面２ｂと傾斜面２ｅとは、鈍角となる角度θ（例えば１３５°）で交叉している。筐体２ａの表面２ｂ上に右手ＲＨを乗せた場合、手の構造上、親指Ｆ１は手のひらの中心側かつ下側となる斜め下方に向けて動かしやすい。このため、ポインタ操作部８を親指Ｆ１で操作し、クリック操作部７Ａを人差し指Ｆ２で操作し、クリック操作部７Ｂを中指で操作することを想定する場合には、クリック操作部７Ａ〜７Ｃの設置面としての表面２ｂの法線方向が上方を指向し、ポインタ操作部８の設置面としての傾斜面２ｅの法線方向Ｐが奥行き方向手前側と上方との間となる斜め上方を指向する構成とするのが好適である。これにより、傾斜面２ｅと親指Ｆ１の腹とをより平行な状態に近付けることができ、ポインタ操作部８の操作性を高めることができる。かかる構成は、左手ＬＨに対しても有効である。
【００２５】
また、図５に示すように、ポインタ操作部８ならびにクリック操作部７Ａ，７Ｃの配置は、左手ＬＨで操作される場合に好適である。すなわち、ポインタ操作部８を左手ＬＨの親指Ｆ１で操作し、クリック操作部７Ａを左手ＬＨの人差し指Ｆ２で操作し、クリック操作部７Ｃを左手ＬＨの中指Ｆ３で操作することができる。図５を参照すれば、ポインタ操作部８ならびにクリック操作部７Ａ，７Ｃが、左手ＬＨの前腕が幅方向左側かつ奥行き方向手前側から幅方向右側かつ奥行き方向奥側に向けて斜めに伸びる姿勢で、左手ＬＨの親指Ｆ１、人差し指Ｆ２、中指Ｆ３で操作しやすい配置となっていることが容易に理解できよう。
【００２６】
すなわち、図３，５から明らかとなるように、本実施形態にかかるポインタ操作部８ならびにクリック操作部７Ａ〜７Ｃの配置は、右手ＲＨおよび左手ＬＨの双方について、親指Ｆ１、人差し指Ｆ２、および中指Ｆ３による操作性を高めることができるのである。
【００２７】
また、図６に示すように、本実施形態にかかる電子機器１は、ＣＰＵ（Central Processing Unit）１０ａ、ノースブリッジ１０ｂ、サウスブリッジ１０ｃ、メモリ１０ｄ、ビデオコントローラ１０ｅ、ハードディスクドライブ（ＨＤＤ）１０ｆ、ＥＣ／ＫＢＣ（Embedded Controller / Keyboard Controller）１０ｇ、電源回路１０ｈ等を備えている。これら各部は、バス等を介して相互に接続されている。なお、図６は、回路構成の一部を例示的に示すものである。
【００２８】
ＣＰＵ１０ａは、システム全体の制御を司る。ＨＤＤ１０ｆには、種々のデータの他、ＯＳ（Operating System）や、ＯＳ上で動作する各種のアプリケーションプログラム、ドライバプログラム等が記憶される。電源が投入されると、ＯＳがメモリ１０ｄにロードされ、起動される。アプリケーションプログラムやドライバプログラムも、メモリ１０ｄにロードされて、ＣＰＵ１０ａによる実行が可能な状態となる。
【００２９】
ビデオコントローラ１０ｅは、ディスプレイ６の画面の表示の制御を行う。ディスプレイ６の画面上でのポインタ（図示せず）の表示は、ビデオコントローラ１０ｅによって制御される。
【００３０】
ＥＣ／ＫＢＣ１０ｇは、電源回路１０ｈを制御するエンベデッドコントローラと、キーボード５、クリック操作部７Ａ〜７Ｃ、ポインタ操作部８等を制御するコントローラ（キーボードコントローラ）とが集積されたマイクロコンピュータである。ＥＣ／ＫＢＣ１０ｇでは、キーボード５、ポインタ操作部８、クリック操作部７Ａ〜７Ｃの操作に応じた操作信号が生成され、ＣＰＵ１０ａへ送られる。これらの操作信号は、例えば、ＣＰＵ１０ａで動作するドライバプログラムやアプリケーションプログラムで処理される。クリック操作部７Ａ〜７Ｃによる操作信号は、例えば、ドライバプログラムやアプリケーションプログラムにしたがったＣＰＵ１０ａやＥＣ／ＫＢＣ１０ｇの動作によって、可変設定することができる。例えば、ポインタ操作部８およびクリック操作部７Ａ、７Ｂを主として右手ＲＨで操作するユーザは、プログラムによって、クリック操作部７Ｃをシフトキーやいずれかのファンクションキーとして使うなど、当該クリック操作部７Ｃを何らかの機能スイッチに設定することができる。同様に、ポインタ操作部８およびクリック操作部７Ａ，７Ｃを主として左手ＬＨで操作するユーザは、プログラムによって、クリック操作部７Ｂをシフトキーやいずれかのファンクションキーとして使うなど、当該クリック操作部７Ｂを何らかの機能スイッチに設定することができる。
【００３１】
以上、説明したように、本実施形態では、第一のクリック操作部としてのクリック操作部７Ａが、ポインタ操作部８よりも端縁２ｆから遠い側に配置され、第二のクリック操作部としてのクリック操作部７Ｂ，７Ｃが、第一のクリック操作部としてのクリック操作部７Ａよりも端縁２ｆから遠い側に配置されている。よって、ポインタ操作部８を親指Ｆ１で操作し、クリック操作部７Ａを人差し指Ｆ２で操作し、クリック操作部７Ｂ，７Ｃを中指Ｆ３で操作しやすくなって、使いやすくなる。すなわち、ポインタ操作部８ならびにクリック操作部７Ａ〜７Ｃを片手で操作しやすくなるとともに、クリック操作部７Ｂ，７Ｃについてはマウスを使うときと同じ指で操作することができる。
【００３２】
また、本実施形態では、ポインタ操作部８の中心ｃｄとクリック操作部７Ａの中心ｃａとの距離Ｌ１が、クリック操作部７Ｂ，７Ｃの中心ｃｂ，ｃｃとクリック操作部７Ａの中心ｃａとの距離Ｌ２，Ｌ３より長い。手の構造上、右手ＲＨあるいは左手ＬＨを筐体２ａの表面２ｂ上に乗せた場合、親指Ｆ１の指先と人差し指Ｆ２の指先との距離は、人差し指Ｆ２の指先と中指Ｆ３の指先との距離より長くなる場合が多い。したがって、このような配置とすることで、より一層使いやすくなる。
【００３３】
また、本実施形態では、クリック操作部７Ｂ，７Ｃが、ポインタ操作部８およびクリック操作部７Ａの配列（中心ｃｄ，ｃａを通る仮想線分ＶＬ、延長線を含む）に対してずれた位置に配置された。手の構造上、右手ＲＨあるいは左手ＬＨを筐体２ａの表面２ｂ上に乗せた場合、中指Ｆ３の指先は、平面視で、親指Ｆ１の指先と人差し指Ｆ２の指先とを結ぶ線分およびその延長線に対して、その線分から側方にずれる場合が多い。したがって、このような配置とすることで、より一層使いやすくなる。
【００３４】
また、本実施形態では、ポインタ操作部８およびクリック操作部７Ａの配列（仮想線分ＶＬ）は、Ｙ方向（奥行き方向、端縁２ｆと垂直な方向）に沿っている。したがって、第二のクリック操作部としての二つのクリック操作部７Ｂ，７Ｃを、配列（仮想線分ＶＬ）を挟んだ幅方向（Ｘ方向、ユーザにとっての左右方向）の両側に配置することができるため、ポインタ操作部８、クリック操作部７Ａ〜７Ｃを、右手ＲＨおよび左手ＬＨの両方について、使いやすくすることができる。特に、この配置は、右手ＲＨおよび左手ＬＨの両方の前腕の姿勢に対して好適であると言える。
【００３５】
また、本実施形態では、第二のクリック操作部としてのクリック操作部７Ｂ，７Ｃが複数設けられた。よって、ポインタ操作部８、クリック操作部７Ａ〜７Ｃを、右手ＲＨおよび左手ＬＨの両方について、使いやすくすることができる。また、複数のクリック操作部７Ｂ，７Ｃのうちいずれかを、機能スイッチとして用いることができる。
【００３６】
また、本実施形態では、配列（仮想線分ＶＬ）に対するずれ方向が異なる複数の第二のクリック操作部として、クリック操作部７Ｂ，７Ｃが設けられた。よって、ポインタ操作部８ならびにクリック操作部７Ａ〜７Ｃを、右手ＲＨおよび左手ＬＨの両方について、使いやすくすることができる。
【００３７】
また、本実施形態では、ポインタ操作部８とクリック操作部７Ａ〜７Ｃとが、一つの外面としての表面２ｂの上方に露出する状態に設けられた。したがって、筐体２ａの表面２ｂ上に配置した右手ＲＨあるいは左手ＬＨによって、ポインタ操作部８およびクリック操作部７Ａ〜７Ｃを、より容易に操作することができる。
【００３８】
また、本実施形態では、クリック操作部７Ａ〜７Ｃが、その法線方向が上方を指向する外面としての表面２ｂに配置され、ポインタ操作部８が、その法線方向Ｐが奥行き方向手前側を指向する外面としての傾斜面２ｅに配置された。よって、手の構造上動きやすい方向が異なる親指Ｆ１と人差し指Ｆ２もしくは中指Ｆ３とのそれぞれについて、より適した位置に、表面２ｂおよび傾斜面２ｅが形成され、ポインタ操作部８およびクリック操作部７Ａ〜７Ｃが配置されるため、使い勝手をより向上することができる。
【００３９】
＜第２実施形態＞
図７に示すように、本実施形態の第一の本体部２Ａでも、上記第１実施形態と同様に、クリック操作部７Ａ〜７Ｃは、筐体２ａの表面２ｂに配置されている。一方、筐体２ａの表面２ｂには、クリック操作部７Ａ〜７Ｃと使用状態でユーザ側となる端縁２ｆとの間に、平面視で円形状の凹部２ｇが形成されている。そして、ポインタ操作部８が、凹部２ｇの底部に配置されている。ポインタ操作部８は、クリック操作部７Ａ〜７Ｃとともに、筐体２ａの表面２ｂの上方に露出している。
【００４０】
ポインタ操作部８が設置される部分の構成は異なるものの、平面視での、ポインタ操作部８ならびに複数のクリック操作部７Ａ〜７Ｃの位置関係は、上記第１実施形態と同様である。したがって、本実施形態によっても、上記第１実施形態と同様の効果を得ることができる。
【００４１】
＜第３実施形態＞
図８に示すように、本実施形態の第一の本体部２Ｂでは、平面視でのクリック操作部７Ａ〜７Ｃの姿勢が、上記第１実施形態と異なっている。すなわち、クリック操作部７Ａ〜７Ｃは、上記第１実施形態に対して、表面２ｂ内で４５°回動した姿勢となっている。このため、複数のクリック操作部７Ａ〜７Ｃを、Ｖ字状に配置することができる。よって、ポインタ操作部８ならびにクリック操作部７Ａ〜７Ｃを、右手ＲＨおよび左手ＬＨの両方について、使いやすくすることができるとともに、美観の向上を図ることができる。また、矩形状の複数のクリック操作部７Ａ〜７Ｃを相互により近付けてより密に配置したり、各クリック操作部７Ａ〜７Ｃをより大きく形成したりしやすくなる。
【００４２】
クリック操作部７Ａの姿勢（形状）は異なるものの、平面視での、ポインタ操作部８ならびに複数のクリック操作部７Ａ〜７Ｃの位置関係は、上記第１実施形態と同様である。したがって、本実施形態によっても、上記第１実施形態と同様の効果を得ることができる。
【００４３】
＜第４実施形態＞
図９に示すように、本実施形態の第一の本体部２Ｃでは、クリック操作部７Ａが、上記第１実施形態に比べて、Ｘ方向に沿って長く、長方形状に形成されている。クリック操作部７Ａの面積が広くなる分、第１実施形態に比べて、指（人差し指Ｆ２）の配置の自由度を高めることができ、より一層操作しやすくなる。
【００４４】
クリック操作部７Ａの形状は異なるものの、平面視での、ポインタ操作部８ならびに複数のクリック操作部７Ａ〜７Ｃの位置関係は、上記第１実施形態と同様である。したがって、本実施形態によっても、上記第１実施形態と同様の効果を得ることができる。
【００４５】
＜第５実施形態＞
図１０に示すように、本実施形態の第一の本体部２Ｄでは、クリック操作部７Ａは扇形に形成されている。また、クリック操作部７Ｂ，７Ｃは、一定幅を有し、クリック操作部７Ａの外径に沿って屈曲する円弧状に形成されている。このように、クリック操作部７Ａ〜７Ｃの形状は異なるものの、平面視での、ポインタ操作部８ならびに複数のクリック操作部７Ａ〜７Ｃの位置関係は、上記第１実施形態と同様である。したがって、本実施形態によっても、上記第１実施形態と同様の効果を得ることができる。
【００４６】
以上、本発明の好適な実施形態について説明したが、本発明は上記実施形態には限定されず、種々の変形が可能である。例えば、本発明を、ノート型のパーソナルコンピュータ以外の電子機器として実施することができる。また、ポインタ操作部は、タッチパッドや、ポインティングスティック等、他のポインティングデバイスとして構成することができる。また、クリック操作部のスペック（構造、数、形状、大きさ等）も適宜に変更することができる。
【産業上の利用可能性】
【００４７】
以上のように、本発明は、ポインタ操作部と少なくとも二つのクリック操作部とを備えた電子機器として有用である。
【符号の説明】
【００４８】
１…電子機器、２ａ…筐体、２ｂ…表面（外面）、２ｅ…傾斜面（外面）、２ｆ…端縁、５…キーボード、７Ａ…（第一の）クリック操作部、７Ｂ，７Ｃ…（第二の）クリック操作部、ｃａ…（第一のクリック操作部の）中心、ｃｂ，ｃｃ…（第二のクリック操作部の）中心、ｃｄ…（ポインタ操作部の）中心、Ｌ１…（ポインタ操作部の中心と第一のクリック操作部の中心との）距離、Ｌ２…（第一のクリック操作部の中心と第二のクリック操作部の中心との）距離、ＶＬ…仮想線分（配列の中心線）。
【図１】
2011138198.tif 000003
【図２】
2011138198.tif 000004
【図３】
2011138198.tif 000005
【図４】
2011138198.tif 000006
【図５】
2011138198.tif 000007
【図６】
2011138198.tif 000008
【図７】
2011138198.tif 000009
【図８】
2011138198.tif 000010
【図９】
2011138198.tif 000011
【図１０】
2011138198.tif 000012
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
筐体と、
前記筐体に設けられたキーボードと、
前記キーボード近傍に位置された第１操作部と、
前記第１操作部より前記キーボードに寄って位置された第２操作部と、
前記第２操作部より前記キーボードに寄って位置された第３操作部と、
前記第２操作部より前記キーボードに寄って位置され、前記第３操作部と並んだ第４操作部と、
を備え、
前記第２操作部と前記第３操作部と前記第４操作部とがＶ字状に配置されたことを特徴とする電子機器。
【請求項２】
筐体と、
前記筐体の外面に位置された第１操作部と、
前記筐体の外面に位置された第２操作部と、
前記筐体の外面で、前記第２操作部に対して前記第１操作部の反対側に位置された第３操作部と、
前記筐体の外面で、前記第２操作部に対して前記第１操作部の反対側に位置され、前記第３操作部と並んだ前記第４操作部と、
を備え、
前記第２操作部と前記第３操作部と前記第４操作部とがＶ字状に配置されたことを特徴とする電子機器。
【請求項３】
前記第１操作部の中心と前記第２操作部の中心との距離が、前記第２操作部の中心と前記第３操作部の中心との距離より長いことを特徴とする請求項１または２に記載の電子機器。
【請求項４】
前記第１操作部、前記第２操作部、前記第３操作部、および第４操作部が、前記筐体の一つの外面の上方に露出する状態に設けられたことを特徴とする請求項１〜３のうちいずれか一つに記載の電子機器。
【請求項５】
前記第２操作部、前記第３操作部、および前記第４操作部が、その法線方向が上方を指向する前記筐体の外面に配置され、
前記第１操作部が、その法線方向が前記奥行き方向手前側を指向する前記筐体の外面に配置されたことを特徴とする請求項１〜４のうちいずれか一つに記載の電子機器。
【手続補正２】
【補正対象書類名】明細書
【補正対象項目名】０００８
【補正方法】変更
【補正の内容】
【０００８】
本発明の一実施形態にかかる電子機器にあっては、筐体と、前記筐体に設けられたキーボードと、前記キーボード近傍に位置された第１操作部と、前記第１操作部より前記キーボードに寄って位置された第２操作部と、前記第２操作部より前記キーボードに寄って位置された第３操作部と、前記第２操作部より前記キーボードに寄って位置され、前記第３操作部と並んだ第４操作部と、を備え、前記第２操作部と前記第３操作部と前記第４操作部とがＶ字状に配置されたことを特徴の一つとする。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
筐体と、
前記筐体の外面に位置された第１操作部と、
前記筐体の外面に位置された第２操作部と、
前記筐体の外面で前記第２操作部に対して前記第１操作部の反対側に設けられ、前記第１操作部および前記第２操作部の並び方向からずれて位置された第３操作部と、
前記筐体の外面で前記第２操作部に対して前記第１操作部の反対側に設けられ、前記並び方向から前記第３操作部とは反対側にずれて位置され、前記第３操作部と並んだ第４操作部と、
を備え、
前記第１操作部と前記第２操作部との距離が、前記第２操作部と前記第３操作部との距離より長い、電子機器。
【請求項２】
前記第１操作部と前記第３操作部との距離および前記第１操作部と前記第４操作部との距離が、前記第１操作部と前記第２操作部との距離より長い、請求項１に記載の電子機器。
【請求項３】
前記筐体に設けられたキーボードをさらに備え、
前記第２操作部が前記第１操作部より前記キーボードに寄って位置され、
前記第３操作部および前記第４操作部が前記第２操作部より前記キーボードに寄って位置された、
請求項１または２に記載の電子機器。
【手続補正２】
【補正対象書類名】明細書
【補正対象項目名】０００８
【補正方法】変更
【補正の内容】
【０００８】
本発明の一実施形態にかかる電子機器にあっては、筐体と、前記筐体の外面に位置された第１操作部と、前記筐体の外面に位置された第２操作部と、前記筐体の外面で前記第２操作部に対して前記第１操作部の反対側に設けられ、前記第１操作部および前記第２操作部の並び方向からずれて位置された第３操作部と、前記筐体の外面で前記第２操作部に対して前記第１操作部の反対側に設けられ、前記並び方向から前記第３操作部とは反対側にずれて位置され、前記第３操作部と並んだ第４操作部と、を備え、前記第１操作部と前記第２操作部との距離が、前記第２操作部と前記第３操作部との距離より長い、ことを、特徴の一つとする。